(57)【要約】  本発明は、セルラーネットワーク内でダウンリンク接続を与える方法及びシステムに係る。セルラーネットワークのセル(C1-C3)にサービスする少なくとも２つのネットワーク要素(N1-N3)を制御する中央ネットワーク要素(20)に、選択されたセルを指示するフィードバック情報が送信される。少なくとも２つのネットワーク要素は、フィードバック情報に基づいて中央ネットワーク要素により制御されて、ダウンリンク接続を確立する。従って、非中央ネットワーク要素(N1-N3)のダウンリンク送信は、フィードバック情報の受信エラーによる性能ロスを減少するようにネットワークにより制御される。フィードバック情報は、サイト選択ダイバーシティ送信制御機構で得られた一時的ＩＤでよい。
2005513890.tif 000002
【特許請求の範囲】
【請求項１】
セルラーネットワーク内でダウンリンクソフトハンドオーバー接続を与える方法であって、セルをサイト選択電力制御機構で決定された一次セルとして選択するような方法において、
ａ）少なくとも２つのセル(C1-C3)から受け取られたダウンリンク信号の特性の比較に基づき上記セルラーネットワークの上記セルを選択するための選択機能を与え、
ｂ）上記少なくとも２つのセル(C1-C3)を制御するネットワーク要素(20)へ上記選択の結果を指示するフィードバック情報を送信し、そして
ｃ）上記フィードバック情報に基づいて上記少なくとも２つのセル(C1-C3)を制御して、上記ダウンリンク接続を確立する、
という段階を備えた方法。
【請求項２】
上記選択されたセルの識別情報を上記フィードバック情報に追加し、そして上記ネットワーク要素(20)において上記識別を抽出する段階を更に備えた請求項１に記載の方法。
【請求項３】
上記選択されたセルの識別情報を上記フィードバック情報に追加し、上記少なくとも２つのセル(C1-C3)において上記識別情報を抽出し、そして上記抽出された識別情報を上記ネットワーク要素(20)へ送信する段階を更に備えた請求項１に記載の方法。
【請求項４】
上記制御段階は、上記少なくとも２つのセル(C1-C3)の１つであって、上記選択されたセルにサービスするセルへ送信コマンドを送信することを含む請求項１ないし３のいずれかに記載の方法。
【請求項５】
上記ダウンリンク接続は、ＷＣＤＭＡシステムの専用物理的データチャンネル（ＤＰＤＣＨ）又は専用物理的チャンネル（ＤＰＣＨ）を経て与えられる請求項１ないし４のいずれかに記載の方法。
【請求項６】
上記制御段階は、類似関数に基づく判断段階であって、上記ダウンリンク接続に対して推定された一次セルを決定するのに使用される判断段階を備えた請求項１ないし５のいずれかに記載の方法。
【請求項７】
上記類似関数は、上記フィードバック情報に含まれる請求項７に記載の方法。
【請求項８】
上記判断段階は、
2005513890.tif 000006
但し、ｚは、上記ダウンリンク接続に対する上記推定された一次セルのインデックスを示し、ｂは、アクティブなセルの数を示し、そしてΩiは、上記少なくとも２つのセルのｉ番目のセルに対する類似関数を示す、
という判断ルールに基づく請求項７又は８に記載の方法。
【請求項９】
セルラーネットワーク内でダウンリンク接続を与えるシステムにおいて、
ａ）各セル(C1-C3)にサービスする少なくとも２つの第１ネットワーク要素(N1 -N3)から受け取られたダウンリンク信号の比較に基づき上記セルラーネットワークのセルを選択するための選択機能を有するターミナル装置(10)であって、上記選択の結果を指示するフィードバック情報を上記セルラーネットワークに送信するターミナル装置(10)と、
ｂ）上記フィードバック情報を受信すると共に、上記フィードバック情報に基づいて上記少なくとも２つの第１ネットワーク要素(N1-N3)を制御して、上記ダウンリンク接続を確立するための第２ネットワーク要素(20)と、
を備えたシステム。
【請求項１０】
上記第１ネットワーク要素は、ノードＢ(N1-N3)又はベースステーショントランシーバであり、そして上記第２ネットワーク要素は、無線ネットワークコントローラ(20)である請求項１０に記載のシステム。
【請求項１１】
上記第１ネットワーク要素は、ノードＢ(N1-N3)のセクターであり、そして上記第２ネットワーク要素は、無線ネットワークコントローラ(20)である請求項１０に記載のシステム。
【請求項１２】
上記セルラーネットワークは、ＷＣＤＭＡ無線アクセスネットワークである請求項１０ないし１２のいずれかに記載のシステム。
【請求項１３】
セルラーネットワーク内でダウンリンク接続を与えるネットワーク要素であって、
ａ）ターミナル装置(10)からフィードバック情報を受信するための受信手段(12)と、
ｂ）上記フィードバック情報を抽出し、その抽出されたフィードバック情報を上記セルラーネットワークへ送信するための抽出手段(14)と、
を備えたネットワーク要素。
【請求項１４】
上記ネットワーク要素は、ノードＢ(N1-N3)又はベーストランシーバステーションである請求項１４に記載のネットワーク要素。
【請求項１５】
セルラーネットワーク内でダウンリンク接続を与えるネットワーク要素であって、
ａ）ターミナル装置(10)から少なくとも２つの第１ネットワーク要素(N1-N3)を経てフィードバック情報を受信するための受信手段(22)と、
ｂ）上記フィードバック情報に与えられた識別情報をチェックするためのチェック手段(24)と、
ｃ）上記ダウンリンク接続を確立するように上記少なくとも２つの第１ネットワーク要素(N1-N3)を制御するための制御手段(26)と、
を備えたネットワーク要素。
【請求項１６】
上記ネットワーク要素は、無線ネットワークコントローラ(20)である請求項１６に記載のネットワーク要素。
【発明の詳細な説明】
【技術分野】
【０００１】
本発明は、ＷＣＤＭＡ（ワイドバンドコード分割多重アクセス）システムの無線アクセスネットワークのようなセルラーネットワークにおいてダウンリンク接続を行う方法及びシステムに係る。
【背景技術】
【０００２】
第３世代のＷＣＤＭＡシステムでは、ダウンリンク容量がシステム容量の制限ファクタとなっている。それ故、無線アクセスネットワークにおけるソフトハンドオーバーモードのマクロダイバーシティ方法としてサイト選択ダイバーシティ送信電力制御（ＳＳＤＴ）が提案されている。
【０００３】
ソフトハンドオーバー中に、移動ステーションやユーザ装置のようなターミナル装置は、例えば、対応する第３世代パートナーシッププロジェクト(３ＧＰＰ)仕様においてノードＢと称される２つの異なるベースステーションに属する２つのセクターの重畳するセルカバレージエリアに存在する。ターミナル装置は、異なるベースステーションから放送された受信信号を監視し、それらを１組のスレッシュホールドと比較し、そしてそれに応じてベースステーションへ報告する。この情報に基づいて、ネットワークは、ベースステーションリンクをソフトハンドオーバーセルのアクティブセットに追加したり又はそこから除去したりするようにターミナル装置に指令する。アクティブセットとは、同じユーザ情報がユーザ装置(ＵＥ)へ送信されてくるところのベースステーション又はアクティブセルのセットとして定義される。更に、マイクロダイバーシティ又はソフトハンドオーバーの場合には、同じベースステーション又はノードＢに属するセクター又はセル間でソフトハンドオーバーが実行される。従って、ここに示す例では、移動ステーションとベースステーションとの間の通信が、各セクター又はアクティブセルに対して別々に１つづつある２個のエアインターフェイスチャンネルを経て同時に行われてもよい。これは、移動ステーションが信号を区別できるように、ダウンリンク方向に２つの個別のコードを使用することを必要とする。ＳＳＤＴオペレーションは、次のように要約することができる。移動ステーションは、セルの少なくとも１つを「一次」として選択し、他の全てのセルは、「二次」として分類される。その主たる目的は、一次セルからダウンリンクを経て送信し、従って、ソフトハンドオーバーモードにおいて多数の送信により生じる干渉を減少することである。第２の目的は、上位プロトコル層にネットワークが介在せずに高速サイト選択を達成し、従って、ソフトハンドオーバーの利点を維持することである。
【０００４】
少なくとも１つの一次セルを選択するために、各セルには一時的な識別（ＩＤ）が指定され、移動ステーションは、一次セルＩＤをアクティブなセルに周期的に通知する。それに応答して、移動ステーションにより選択された非一次セルは、それらの送信電力をスイッチオフにする。一次セルＩＤは、移動ステーションにより、アップリンクＦＢＩ（フィードバック情報）フィールドを経てアクティブなセルへ配送される。従って、各セルには、ＳＳＤＴ中に一時的ＩＤが与えられ、このＩＤは、サイト選択信号として使用される。ＩＤには２進ビットシーケンスが与えられ、ＩＤコードは、無線フレーム構造に整列されて送信される。
【０００５】
移動ステーションは、アクティブなセルにより送信された共通パイロットチャンネル（ＣＰＩＣＨ）の受信信号コード電力（ＲＳＣＰ）を測定することにより一次セルを周期的に選択する。ＣＰＩＣＨ  ＲＳＣＰの最も高いセルが一次セルとして選択される。又、一次セルを選択するのに信号対干渉比（ＳＩＲ）を使用することもできる。移動ステーションは、ＳＳＤＴ使用に指定されたアップリンクＦＢＩフィールド（ＦＢＩ  Ｓフィールド）の所定部分を経て一次セルのＩＤコードを周期的に送信する。次の条件が同時に満足される場合には、セルがその状態を非一次として認識する。
１．受信したＩＤコードがそれ自身のＩＤコードと一致しない；
２．受信したアップリンク信号クオリティが、ネットワークにより定義されたクオリティスレッシュホールドＱthを満足する；及び
３．アップリンク圧縮モードが使用される場合には、ＩＤコードにおけるビット数をＮIDで表わすとすれば、（アップリンク圧縮モードの結果として）ＩＤコードから失われるビットがＮID／３ビット未満である。
さもなければ、セルは、その状態を一次と認識する。
アクティブなセットにおけるセルの状態（一次又は非一次）は、同期して更新される。
【発明の開示】
【発明が解決しようとする課題】
【０００６】
従って、ＳＳＤＴでは、移動ステーションは、移動ステーションへの送信における経路ロスが最小であるアクティブセル又はベースステーションの少なくとも１つを周期的に選択する。しかしながら、ＩＤは、エアインターフェイスを経て送信されるので、ＩＤが誤って検出されることが考えられる。ＩＤが誤って検出されると、全てのアクティブなベースステーションがそれらの出力電力を同時にスイッチオフするという問題が発生し得る。他方、移動ステーションは、仮定された一次ベースステーションからダウンリンク送信信号を受信するが、この一次ベースステーションは、データを送信しておらず、それは、二次ベースステーションにより送信されたものであることもある。最初の問題は、フレームエラーを引き起こすが、付加的な干渉を招くことはなく、一方、後者の問題は、この状態において、高速送信電力制御が、望ましからぬ二次ベースステーションの送信電力の制御を引き受けるので、もっと重大な問題となる。その結果、望ましからぬ二次ベースステーションの高い送信電力は、他のユーザへ高い付加的な干渉を引き起こすことがある。
【課題を解決するための手段】
【０００７】
そこで、本発明の目的は、ダウンリンク接続を確立するための方法及びシステムであって、干渉のおそれを増大せずにダウンリンク容量を改善できる方法及びシステムを提供することである。
【０００８】
この目的は、セルラーネットワーク内でダウンリンクソフトハンドオーバー接続を与える方法であって、セルをサイト選択電力制御機構で決定された一次セルとして選択するような方法において、少なくとも２つのセルから受け取られたダウンリンク信号の特性の比較に基づき上記セルラーネットワークの上記セルを選択するための選択機能を与え、上記少なくとも２つのセルを制御するネットワーク要素へ上記選択の結果を指示するフィードバック情報を送信し、そして上記フィードバック情報に基づいて上記少なくとも２つのセルを制御して、上記ダウンリンク接続を確立するという段階を備えた方法により達成される。
【０００９】
更に、上記目的は、セルラーネットワーク内でダウンリンク接続を与えるシステムにおいて、各セルにサービスする少なくとも２つの第１ネットワーク要素から受け取られたダウンリンク信号の比較に基づき上記セルラーネットワークのセルを選択するための選択機能を有するターミナル装置であって、上記選択の結果を指示するフィードバック情報を上記セルラーネットワークに送信するターミナル装置と、上記フィードバック情報を受信すると共に、上記フィードバック情報に基づいて上記少なくとも２つの第１ネットワーク要素を制御して、上記ダウンリンク接続を確立するための第２ネットワーク要素とを備えたシステムにより達成される。
【００１０】
更に、上記目的は、セルラーネットワーク内でダウンリンク接続を与えるネットワーク要素であって、ターミナル装置からフィードバック情報を受信するための受信手段と、上記フィードバック情報を抽出し、その抽出されたフィードバック情報を上記セルラーネットワークへ送信するための抽出手段とを備えたネットワーク要素によって達成される。
【００１１】
最後に、上記目的は、セルラーネットワーク内でダウンリンク接続を与えるネットワーク要素であって、ターミナル装置から少なくとも２つの第１ネットワーク要素を経てフィードバック情報を受信するための受信手段と、上記フィードバック情報に与えられた識別情報をチェックするためのチェック手段と、上記ダウンリンク接続を確立するように上記少なくとも２つの第１ネットワーク要素を制御するための制御手段とを備えたネットワーク要素によって達成される。
【００１２】
従って、ネットワークがベースステーションのダウンリンク送信を集中制御することにより検出精度を著しく改善することができる。集中制御のために改善されたこの検出精度は、優れた全システム容量を導く。特に、関連ターミナル装置のアクティブセットの２つ以上のセル又はベースステーションのフィードバック情報が合成されて、一時的ＩＤの正しい検出が確保される。これにより、ＩＤ受信エラーによる性能ロスを減少することができる。ここに提案する解決策は、ＩＤ検出に対する付加的なダイバーシティ利得とみなすことができる。更に、検出確率の改善により短いＩＤコードを使用することができ、従って、第１ネットワーク要素と第２ネットワーク要素との間の通信遅延を減少することができる。
【００１３】
更に別の効果的な開発により、フィードバック情報が第１ネットワーク要素を経てルーティングされる間に、第２ネットワーク要素において識別情報を抽出することができる。
別の効果的な開発により、識別情報を第１ネットワーク要素において抽出して、第２ネットワーク要素へ送信することができる。
【００１４】
選択されるセルは、サイト選択ダイバーシティ制御機構で決定される一次セルでよい。
更に、上記制御段階は、少なくとも２つの第１ネットワーク要素の１つであって、選択されたセルにサービスする方の第１ネットワーク要素へ送信コマンドを送信することを含んでもよい。
ダウンリンク接続は、ＷＣＤＭＡシステムの専用物理的データチャンネルを経て与えられてもよい。
【００１５】
上記制御段階は、類似(likeness)関数に基づく判断段階であって、ダウンリンク接続に対して推定一次セルを決定するのに使用される判断段階を含むのが好ましい。この場合、類似関数は、フィードバック情報に含まれてもよい。特に、判断段階は、所定の判断ルールに基づくものでよく、推定一次セルのインデックスを決定するためにアクティブセルの個々の類似関数が要約される。
【００１６】
第１ネットワーク要素は、ノードＢ又はベースステーショントランシーバでよく、そして第２ネットワーク要素は、無線ネットワークコントローラでよい。或いは又、マイクロダイバーシティのケースでは（即ちソフトハンドオーバー）、第１ネットワーク要素は、ノードＢのセクターでよく、そして第２ネットワーク要素は、無線ネットワークコントローラでよい。
【発明を実施するための最良の形態】
【００１７】
以下、添付図面を参照して、本発明の好ましい実施形態を詳細に説明する。
図１に示すユニバーサル移動テレコミュニケーションズシステム地上無線アクセスネットワーク（ＵＴＲＡＮ）のような第三世代ＷＣＤＭＡシステムの無線アクセスネットワークアーキテクチャーに基づいて好ましい実施形態を以下に説明する。
【００１８】
図１によれば、ユーザ装置１０は、無線インターフェイスを経てＵＴＲＡＮの無線ネットワークサブシステム（ＲＮＳ）に接続される。このＲＮＳは、例えば、３つのノードＢ即ちＮ１、Ｎ２、Ｎ３で構成され、これらは、無線ネットワークコントローラ（ＲＮＣ）２０へデータ流をルーティングするように構成される。「ノードＢ」という用語は、同じ意味をもつより一般的な用語「ベースステーション」と置き換えてもよいことに注意されたい。ノードＢ  Ｎ１−Ｎ３は、各セルＣ１−Ｃ３にサービスするように構成されるが、それらのセルは重畳しているのでＵＥ１０のアクティブなセットにはそれらの少なくとも１つのＩＤが記憶されればよい。ＲＮＣ２０は、そのドメインに無線リソース、即ちそれに接続されたノードＢ  Ｎ１−Ｎ３を所有し、そしてそれらを制御する。ＲＮＣ２０は、無線リソース制御及び移動管理機能を備え、そしてＵＴＲＡＮが少なくとも１つのコアネットワーク（図１の上部に示された）に提供する全てのサービスに対するサービスアクセスポイントである。
【００１９】
好ましい実施形態によれば、ＩＤ受信エラーによる性能ロスは、ＳＳＤＴ制御をネットワークサイト、例えば、ＲＮＣ２０に向けてシフトして、無線アクセスネットワークが、ノードＢ  Ｎ１−Ｎ３の専用物理データチャンネル（ＤＰＤＣＨ）又は専用物理チャンネル（ＤＰＣＨ）送信を制御するようにすることで減少される。
【００２０】
図２は、ＵＥ１０とＲＮＣ２０との間のＳＳＤＴ送信に含まれるネットワーク要素の概略ブロック図である。ＵＥ１０は、一次セルの一時的ＩＤを指示するフィードバック情報をＤＰＤＣＨチャンネルのＦＢＩフィールドにおいて送信する。ノードＢ  Ｎ１−Ｎ３は、次いで、受信したＩＤソフトビット又はソフト値（ＦＢＩビット）をＲＮＣ２０へ送信する。図２では、好ましい実施形態の当該部分が第１のノードＢ  Ｎ１及びＲＮＣ２０に示されている。より詳細には、第１のノードＢ  Ｎ１は、ＵＥ１０へデータを送信しそしてそこからデータを受信するためのトランシーバ（ＴＲＸ）１２を備えている。受信したデータは、ＦＢＩ抽出ユニット１４へ供給され、そこで、ＦＢＩフィールドに含まれた情報が抽出されてＲＮＣ２０へ供給又は送信される。他のノードＢ  Ｎ２及びＮ３にも、同じ部分又はブロックが設けられることに注意されたい。ＲＮＣ２０は、スイッチング機能即ちスイッチ２２を備え、これは、ノードＢ  Ｎ１−Ｎ３の少なくとも１つを選択して、その選択されたノードＢから受け取ったデータをＩＤチェック機能即ちユニット２４へ供給し、そこで、ＵＥ１０へのダウンリンク送信に使用されるべき一次セルが、例えば、判断ルールに基づいて推定又は決定される。推定された一次セルの認識又はインデックス又はＩＤは、ＳＳＤＴコマンド発生ユニット２６へ供給され、ここで、各ノードＢ  Ｎ１−Ｎ３の少なくとも１つをスイッチオン又はオフにするための対応コマンドが発生されてスイッチ２２へ供給される。従って、ＳＳＤＴ制御がＲＮＣ２０において実行され、これにより、ＩＤ受信エラーの確率が減少される。
【００２１】
ノードＢ  Ｎ１−Ｎ３及びＲＮＣ２０の上述した機能又はブロックは、個別のハードウェア要素により実施されてもよいし、又はプロセッサ装置を制御するソフトウェアルーチンにより実施されてもよいことに注意されたい。
【００２２】
図３は、第１の好ましい実施形態によるＳＳＤＴシグナリングのシグナリング図である。この第１の好ましい実施形態において、決定された一次セルのＩＤコードの集中型検出が実行される。ノードＢ  Ｎ１−Ｎ３は、ＦＢＩ抽出ユニット１４で抽出された受信ＩＤソフトビット又はソフト値をＲＮＣ２０へ送信する。ＲＮＣ２０は、１つのアクティブセットから発生されたＩＤソフトビット又はソフト値間のＩＤエイド(aid)ＭＲＣ（最大比結合）を検出する。「アクティブセット」という語は、通常のソフトハンドオーバーオペレーション中に１つのＵＥ又は移動ターミナルに対して送信するノードＢのセットを意味することに注意されたい。この検出は、ＩＤチェックユニット２４で実行される。ＩＤ検出の後、ＲＮＣ２０は、ＳＳＤＴコマンド発生ユニット２６を使用することにより関連ＤＰＤＣＨ又はＤＰＣＨ送信をスイッチオフ又はオンするようにノードＢ  Ｎ１−Ｎ３に通知する。
【００２３】
従って、図３に示すように、ＦＢＩビットは、最初、ノードＢ  Ｎ１−Ｎ３の各々からＲＮＣ２０へ送信される。次いで、ＩＤ検出の後、各ＳＳＤＴコマンドは、ノードＢ  Ｎ１−Ｎ３へ送信される。
【００２４】
図４は、第２の好ましい実施形態によるＳＳＤＴシグナリングを示すシグナリング図である。この第２の好ましい実施形態では、ノードＢ  Ｎ１−Ｎ３は、例えば、ＦＢＩ抽出ユニット１４において一次セルの一時的ＩＤを検出するように構成される。検出されたＩＤは、次いで、ＲＮＣ２０へ送信される。受信したＩＤに基づいて、ＲＮＣ２０は、ＩＤチェックユニット２４において、少なくとも１つの送信ノードＢがアクティブセットに存在するかどうかチェックする。そのチェック結果に基づいて、ＲＮＣ２０は、ＳＳＤＴコマンド発生ユニット２６において対応スイッチングコマンドを発生し、そしてそれらコマンドをアクティブセットの１つ又は全てのノードＢへ送信する。この分散型ＩＤ検出は、例えば、以下に述べるように、判断ルールに基づいて実行されてもよい。
【００２５】
判断ルールは、ある種の類似関数に基づくもので、これは、第１の好ましい実施形態ではＲＮＣ２０に適用され、又は第２の好ましい実施形態ではノードＢ  Ｎ１−Ｎ３に適用される。第２の好ましい実施形態では、ＩＤソフトビットに代わって類似関数がＲＮＣ２０へ送信されてもよい。次いで、ＲＮＣ２０は、ＩＤチェックユニット２４において、受信した類似関数に基づいて判断を実行する。
【００２６】
ノードＢとＲＮＣ２０との間のソフト変数接続に基づくＩＤ検出を、対応アルゴリズムをベースとして以下に説明する。従来のＳＳＤＴ機構では、一時的ＩＤが各ノードＢにおいて別々に検出される。この場合に、適用される判断ルールは、次のように表わすことができる。
2005513890.tif 000003
但し、ｚiは、ｉ番目のノードＢにおける推定一次セルのインデックスであり、そしてｂは、アクティブなセルの数である。上記例の類似関数は、例えば、次の式で表わすことができる。
2005513890.tif 000004
但し、ｑ［ｄ］は、受信したｄ番目のＩＤコード記号からのソフト判断であり、そしてｃz［ｄ］は、ｚ番目のＩＤコードからのｄ番目のコード記号である。
【００２７】
これに対して、本発明の好ましい実施形態では、一時的ＩＤは、ＲＮＣ２０において集中的に検出される。適用される判断ルールは、次のように表わすことができる。
2005513890.tif 000005
但し、ｚは、推定された一次セルのインデックスである。
【００２８】
既に述べたように、類似関数は、ノードＢ又はＲＮＣ２０において計算することができ、そして上記式（２）で得てもよい。
本発明の好ましい実施形態と、従来のＳＳＤＴ機構との間の性能差について、実例に基づき以下に説明する。この例では、図１に示すように、３つのノードＢがアクティブセットに含まれる三方ソフトハンドオーバーを仮定する。ＩＤコード長さが１６ビットで、歩行者の無線チャンネル環境で、ＵＥがセルの境界に位置し、スピーチ信号が１２．２ｋビット／ｓで且つ各リンクの経路ロスが等しいと仮定すれば、従来のＳＳＤＴ解決策に比して１．２から２．３ｄＢの利得を得ることができる。ＩＤ受信エラーが大幅に減少するために、本発明によるＳＳＤＴ機構の性能は、完全なＩＤフィードバックを伴うＳＳＤＴ性能とみなすことができる。
【００２９】
従来のＳＳＤＴ解決策では、一次ノードＢ又はベースステーションにおいて一次ＩＤが誤って検出されたときに最も重大なエラー状態が存在する。これは、アップリンク方向とダウンリンク方向との間が完全に非相関である高速フェージング状態のために発生し得る。本発明によるＳＳＤＴ機構では、集中型ＩＤ検出における付加的なダイバーシティ利得のために、この種のエラーの確率が著しく低い。
【００３０】
本発明では、ノードＢ  Ｎ１−Ｎ３とＲＮＣ２０との間の通信遅延が問題になることがある。しかしながら、この問題は、例えば、短いＩＤコードを使用することにより取り組むことができる。それでも、この短いＩＤコードは、検出確率が改善されるので、性能低下を招くことがない。
【００３１】
本発明は、ある種のマクロダイバーシティ機能が与えられるものであれば、いかなるセルラーネットワークでも実施できることに注意されたい。ＲＮＣ２０又はノードＢ  Ｎ１−Ｎ３等の種々の機能的エンティティの名前は、異なるセルラーネットワークにおいて異なってもよい。好ましい実施形態の説明に使用された名前は、本発明を何ら制限又は限定するものではない。更に、中央ネットワーク要素、即ちＲＮＣ２０、又は非中央ネットワーク要素、即ちノードＢ  Ｎ１−Ｎ３においてダウンリンク送信に使用されるべきセルを決定又は推定するのにいかなる種類の判断ルールが適用されてもよい。従って、好ましい実施形態は、特許請求の範囲内で変更し得るものである。
【図面の簡単な説明】
【００３２】
【図１】本発明を適用できるネットワークアーキテクチャーの概略ブロック図である。
【図２】好ましい実施形態に基づくシステムに含まれるネットワーク要素のブロック図である。
【図３】第１の好ましい実施形態に基づくＳＳＤＴシグナリングを示すシグナリング図である。
【図４】第２の好ましい実施形態に基づくＳＳＤＴシグナリングを示すシグナリング図である。
【図１】
2005513890.tif 000007
【図２】
2005513890.tif 000008
【図３】
2005513890.tif 000009
【図４】
2005513890.tif 000010
【手続補正書】
【提出日】平成15年12月18日(2003.12.18)
【手続補正１】
【補正対象書類名】特許請求の範囲
【補正対象項目名】請求項１０
【補正方法】変更
【補正の内容】
【請求項１０】
上記第１ネットワーク要素は、ノードＢ(N1-N3)又はベースステーショントランシーバであり、そして上記第２ネットワーク要素は、無線ネットワークコントローラ(20)である請求項９に記載のシステム。
【手続補正２】
【補正対象書類名】特許請求の範囲
【補正対象項目名】請求項１１
【補正方法】変更
【補正の内容】
【請求項１１】
上記第１ネットワーク要素は、ノードＢ(N1-N3)のセクターであり、そして上記第２ネットワーク要素は、無線ネットワークコントローラ(20)である請求項９に記載のシステム。
【手続補正３】
【補正対象書類名】特許請求の範囲
【補正対象項目名】請求項１２
【補正方法】変更
【補正の内容】
【請求項１２】
上記セルラーネットワークは、ＷＣＤＭＡ無線アクセスネットワークである請求項９ないし１１のいずれかに記載のシステム。
【手続補正４】
【補正対象書類名】特許請求の範囲
【補正対象項目名】請求項１４
【補正方法】変更
【補正の内容】
【請求項１４】
上記ネットワーク要素は、ノードＢ(N1-N3)又はベーストランシーバステーションである請求項１３に記載のネットワーク要素。
【手続補正５】
【補正対象書類名】特許請求の範囲
【補正対象項目名】請求項１６
【補正方法】変更
【補正の内容】
【請求項１６】
上記ネットワーク要素は、無線ネットワークコントローラ(20)である請求項１５に記載のネットワーク要素。
【国際調査報告】
2005513890.tif 000011
2005513890.tif 000012
2005513890.tif 000013